(57)【特許請求の範囲】
【請求項１】
無線信号を伝送するための複数の輻射器と、
該輻射器が装着され、無線信号を反射する第１プレートと、
前記第１プレートの後方に該第１プレートとは所定の間隔をあけて装着され、前記無線信号をさらに反射するように形成された第２プレートとを具備し、
前記第１プレートは、メインプレートと、該メインプレートの両側の垂直な端部から夫々前方外側に延長された一対の翼とを有し、
前記各翼は、内部領域及び外部領域によってそれぞれ構成され、前記内部領域は、前記メインプレートと鈍角を成し、前記外部領域は、前記メインプレートと直角を成すことを特徴とする、無線通信システムのアンテナアセンブリ。
【請求項２】
前記第２プレートの後方に、前記無線信号をさらに反射するように形成された第３プレートが該第２プレートとは所定の間隔をあけてさらに装着されており、前記第２プレートと前記第３プレートとの間隔が、前記第１プレートと前記第２プレートとの間隔に等しくなるように構成されていることを特徴とする、請求項１記載の無線通信システムのアンテナアセンブリ。
【請求項３】
前記第２プレートおよび第３プレートは、それぞれ、メインプレートと、該メインプレートの両側の垂直な端部から夫々前方外側に延長された一対の翼とを有し、
前記第２プレートの前記各翼は、該第２プレートの前記メインプレートとそれぞれ鈍角を成し、前記第３プレートの前記各翼は、該第３プレートの前記メインプレートとそれぞれ鈍角を成すことを特徴とする、請求項２記載の無線通信システムのアンテナアセンブリ。
【請求項４】
前記第１プレートの鈍角と、前記第２プレートの鈍角と、前記第３プレートの鈍角とが、それぞれ等しくなっていることを特徴とする、請求項３記載の無線通信システムのアンテナアセンブリ。
【請求項５】
前記第１プレートの前記各翼の内部領域と前記第２プレートの前記各翼とが等しい水平方向長さを有することを特徴とする、請求項４記載の無線通信システムのアンテナアセンブリ。
【請求項６】
前記第３プレートの前記各翼の水平方向長さが前記第２プレートの前記各翼の水平方向長さよりもそれぞれ長くなっていることを特徴とする、請求項５記載の無線通信システムのアンテナアセンブリ。
【請求項７】
前記第２プレートの垂直方向の長さが前記第３プレートの垂直方向の長さと異なっていることを特徴とする、請求項６記載の無線通信システムのアンテナアセンブリ。
【請求項８】
前記第１プレートおよび前記第２プレートを支持する支持構造をさらに有し、該支持構造が非導電性物質により構成されていることを特徴とする、請求項１記載の無線通信システムのアンテナアセンブリ。
【請求項９】
無線信号を伝送するために前記輻射器と接続された給電器をさらに有し、該給電器は、導電性物質により覆われていることを特徴とする、請求項１記載の無線通信システムのアンテナアセンブリ。
【請求項１０】
無線信号を伝送するための複数のアンテナと、
該アンテナが装着され、両側の垂直な端部に、該両端部にて挟まれた中央部分とは夫々鈍角を形成して前方外側に延長する一対の翼を有し、背後に生じる高周波パターンを減衰させるように形成された第１プレートと、
該第１プレートの後方に該第１プレートとは所定間隔をあけて装着されており、両側の垂直な端部に、該両端部にて挟まれた中央部分とは夫々鈍角を形成して前方外側に延長する一対の翼を有し、背後に生じる高周波パターンを減衰させるように形成された第２プレートと、
該第２プレートの後方に該第２プレートとは所定間隔をあけて装着されており、両側の垂直な端部に、該両端部にて挟まれた中央部分とは夫々鈍角を形成して前方外側に延長する一対の翼を有し、背後に生じる高周波パターンを減衰させるように形成された第３プレートと、
前記第１プレートと前記第２プレートと前記第３プレートを支持する支持構造と、
無線信号の伝送が可能に前記アンテナと接続された給電器と、
を具備することを特徴とする、無線通信システムのアンテナアセンブリ。
【請求項１１】
前記第１プレートと前記第２プレートとの間隔と、前記第２プレートと前記第３プレートとの間隔とが等しくなるように構成されていることを特徴とする、請求項１０記載の無線通信システムのアンテナアセンブリ。
【請求項１２】
前記第１プレートの鈍角と、前記第２プレートの鈍角と、前記第３プレートの鈍角とが、それぞれ等しくなっていることを特徴とする、請求項１０記載の無線通信システムのアンテナアセンブリ。
【請求項１３】
通信網に接続され、無線インターフェースを介して移動局とリンクされる基地局を有する無線通信システムであって、
前記通信網と前記移動局との間の信号リンクを提供するアンテナアセンブリを有し、
該アンテナアセンブリは、
高周波のバックローブを減衰させるように形成された反射部材と、該反射部材の前方に装着された複数の輻射器と、前記反射部材の後方に該反射部材とは所定の間隔をあけて装着され前記高周波のバックローブをさらに減衰させるように形成された少なくとも一つのプレート状の減衰部材とを有するアンテナ構造と、
該アンテナ構造と連結されて該アンテナ構造を支持する支持構造と、
該アンテナ構造を経由して信号の送信及び受信が可能に前記輻射器と接続された給電器とを具備し、
前記反射部材は、
メインプレートと、
該メインプレートの両側の垂直端部から夫々前方外側に延長された一対の翼とを有し、
前記各翼は、内部領域及び外部領域によってそれぞれ構成され、前記内部領域は前記メインプレートと鈍角を成し、前記外部領域は前記メインプレートと直角を成すように構成されていることを特徴とする、無線通信システム。
【請求項１４】
前記高周波のバックローブをさらに減衰させるために、前記支持構造は非導電性物質により構成されるとともに、前記給電器が導電性物質により覆われていることを特徴とする請求項１３記載の無線通信システム。
【請求項１５】
前記減衰部材は、
メインプレートと、
該メインプレートの両側の垂直端部から夫々前方外側に延長された一対の翼とを有し、
前記各翼は、前記メインプレートとそれぞれ鈍角を成すことを特徴とする、請求項１３記載の無線通信システム。
【請求項１６】
前記アンテナ構造には、前記第１減衰部材の後方に該第１減衰部材とは所定間隔をあけて装着されるプレート状の第２減衰部材がさらに設けられていることを特徴とする、請求項１３記載の無線通信システム。
【請求項１７】
前記反射部材と前記第１減衰部材との間隔は、前記第１減衰部材と前記第２減衰部材との間隔に等しくなっていることを特徴とする、請求項１６記載の無線通信システム。
【請求項１８】
前記第２減衰部材は、
メインプレートと、
該メインプレートの両側の垂直端部から夫々前方外側に延長された一対の翼とを有し、
前記各翼は、それぞれ、前記メインプレートと鈍角を成すことを特徴とする、請求項１７記載の無線通信システム。
【請求項１９】
無線インターフェースを介して通信網から使用者に信号を伝送する無線通信システムであって、
前記通信網と使用者との間で信号リンクを提供するアンテナアセンブリを有し、
該アンテナアセンブリは、
メインプレートと、該メインプレートの両側の垂直な端部から夫々前記メインプレートとそれぞれ鈍角を成して前方外側に延長された一対の翼とを有し、信号の回折および散乱を減衰させるように形成された反射部材と、該反射部材の前方に装着された複数の輻射器と、前記反射部材の後方に該反射部材と所定間隔あけて装着されて、前記信号の回折および散乱をさらに減衰させるように形成された少なくとも一つのプレート状の減衰部材とを有するアンテナ構造と、
該アンテナ構造と連結されて該アンテナ構造を支持し、前記信号の回折および散乱をさらに低減させるために非導電性物質により構成される部分を有する支持構造と、
前記アンテナ構造を介して信号の送受信が可能に前記輻射器と接続され、前記信号の回折および散乱をさらに減衰させるための導電性物質を有する給電器とを具備することを特徴とする、無線通信システム。
【発明の詳細な説明】
【０００１】
【発明の属する技術分野】
本発明は、無線通信に係るもので、詳しくは、最小のバックローブ（ｂａｃｋｌｏｂｅ）高周波（ＲＦ）パターンを発生する無線通信システムのアンテナアセンブリに関するものである。
【０００２】
【従来の技術】
無線接続技術、セルラー（ｃｅｌｌｕｌａｒ）方式の移動通信技術を利用してデータパケット又は他のタイプの情報を送／受信する無線通信は、広範囲な業務及び非業務的に応用されて情報化社会の基幹網（ｂａｃｋｂｏｎｅ）を提供している。以下、このような技法を簡単に“移動通信”と称す。
【０００３】
一般の移動通信システムにおいて、複数の移動局（セルラー／移動電話機、ラップトップ（ｌａｐｔｏｐ）コンピュータ、パーソナルデジタルアシスタント（ｐｅｒｓｏｎａｌ  ｄｉｇｉｔａｌ  ａｓｓｉｓｔａｎｔｓ、ＰＤＡ））には、当該移動局が通信システム内の他の構成要素（ｃｏｍｐｏｎｅｎｔ）と通信できるように基地局網が使用されている。
【０００４】
移動通信システムは、アナログセルラーシステム、デジタルセルラーシステム（Ｄｉｇｉｔａｌ  Ｃｅｌｌｕｌａｒ  Ｓｙｓｔｅｍ）、個人通信サービス（Ｐｅｒｓｏｎａｌ  ｃｏｍｍｕｎｉｃａｔｉｏｎ  ｓｅｒｖｉｃｅｓ、ＰＣＳ）、汎用デジタルセルラーシステム（Ｇｌｏｂａｌ  Ｓｙｓｔｅｍ  ｆｏｒ  Ｍｏｂｉｌｅ  ｃｏｍｍｕｎｉｃａｔｉｏｎｓ、ＧＳＭ）及びＩＭＴ−２０００などの方式により構成される。ここで、前記各タイプのシステムは、多重アクセス方式の符号分割多重アクセス方式（Ｃｏｄｅ  Ｄｉｖｉｓｉｏｎ  ＭｕｌｔｉｐｌｅＡｃｃｅｓｓ、ＣＤＭＡ）、時分割多重接続方式（Ｔｉｍｅ  Ｄｉｖｉｓｉｏｎ  Ｍｕｌｔｉｐｌｅ  Ａｃｃｅｓｓ、ＴＤＭＡ）及び周波数分割多元接続（Ｆｒｅｑｕｅｎｃｙ  Ｄｉｖｉｓｉｏｎ  Ａｃｃｅｓｓ、ＦＤＭＡ）のような無線インターフェース（Ａｉｒ  Ｉｎｔｅｒｆａｃｅ）標準を使用するが、その他に、信号伝送時に使用されるバンド幅によって前記各システムを区分することもできる。
【０００５】
移動通信システム及び標準は、第１世代アナログタイプシステム、第２世代デジタルタイプシステム（２Ｇ）及び第３世代アップグレード（Ｕｐｇｒａｄｅｄ）されたデジタルタイプシステム（３Ｇ）に分類される。
【０００６】
前記デジタルタイプの２Ｇ移動通信システムで幅広く使用される二つの標準としては、ＴＤＭＡを無線インターフェース技術として使用するＧＳＭシステムと、ＣＤＭＡ技術を無線インターフェース技術として使用するＣＤＭＡシステムと、がある。
【０００７】
３Ｇ移動通信標準は、ＩＭＴ−２０００又は汎用移動電話システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ；ＵＭＴＳ）として知られ、前記標準は二つの標準制定団体、即ち、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）及び３ＧＰＰ２（Ｔｈｉｒｄ  Ｇｅｎｅｒａｔｉｏｎ  Ｐａｒｔｎｅｒｓｈｉｐ  Ｐｒｏｊｅｃｔ  Ｔｗｏ）により規定されて、既に標準化された２Ｇ移動通信システムの多様な改良が内容に反映されている。前記３Ｇ移動通信標準は、常用システムとして未だに完全に開発されてないが、遠からず商用化されると期待されている。
【０００８】
一般に、移動通信システムのサービス領域は複数のセルに分割され、このようなシステムを“セルラーシステム”という。セルラーシステムの各セルは自身の通信可能区域（ｃｏｖｅｒａｇｅ  ａｒｅａ）を有し、全体通信網に接続された少なくとも一つの基地局を有する。ところが、基地局はサービス領域の全地域に対して同一性能でカバーすることが出来ない。移動局及び基地局は、数多くの理由によって適当な信号リンクを樹立することが困難で、例えば、ビルのような地形的特性や多様な障害物により信号の干渉又は障害が発生する。
【０００９】
又、移動局の移動性は、通信リンクの樹立及び維持に困難を与える。そこで、通信障害を防止して移動局と基地局間の信号伝送が改善されるように、セルの適正地域に一つ又はそれ以上の中継器（ｒｅｐｅａｔｅｒ）を設けることができる。
【００１０】
一般に、中継器（又は中継器システム）は、サービス領域内の所定地域で移動局と通信する基地局を支援するために必要で、移動通信システムにおいて、移動局と基地局間の信号を中継及び／又は増幅させるために使用することができる。よって、セル内において基地局は、基地局信号を増幅して移動局に伝達する付加的な中継器を包含することができる。
【００１１】
このような中継器は多様なタイプによって構成され、例えば、基地局に樹立されたリンクタイプによって光中継器又は無線（ＲＦ）中継器に分類される。一般に、光中継器及びＲＦ中継器は、異なる形態の信号影響（ｓｉｇｎａｌ  ｉｎｆｌｕｅｎｃｅ）問題を有するが、本発明では、無線インターフェースを介して信号の送／受信を維持するＲＦ信号伝送技術に焦点を合せて説明することにする。
【００１２】
無線又は移動通信の必須部は、多様なタイプのアンテナを使用するアンテナシステムを包含する。移動通信は、高い周波数を有する高周波（ＲＦ）波の送信及び受信を包含する。一般に、基地局は、送信アンテナ、受信アンテナ、デジタル処理部及び増幅器又はアナログ処理部により構成される。この時、送信アンテナは、電気信号を高周波（ＲＦ）信号に変換させ、受信アンテナは、ＲＦ波を電気信号に変換させる。
【００１３】
又、ＲＦ中継器は、基地局と類似した構造を有するが、デジタル処理部を包含せず、信号は、増幅器又はアナログ処理部によってだけ増幅される。一般に、中継器は、基地局に／基地局から信号を夫々送／受信し得るドナー（ｄｏｎｏｒ）アンテナ及びカバレッジ（ｃｏｖｅｒａｇｅ）アンテナを備えることができる。
【００１４】
中継器は、移動局と基地局間の信号を送／受信するために必要な多様な構成要素により構成され、本発明に係るＲＦ中継器の主要部は、図６Ａに示したように、アンテナアセンブリＡである。
【００１５】
従来の中継器のアンテナアセンブリＡは、相違する極性（ｐｏｌａｒｉｚａｔｉｏｎ）の信号を受信可能な複数の輻射器（ｒａｄｉａｔｏｒ）を有する輻射／受信器アレイ１により構成され、該輻射／受信器アレイ１は、信号の送／受信が改善されるように直四角形反射板３の前方側に装着されている。
【００１６】
前記輻射／受信器アレイ１を備えた前記反射板３の前面は、所望の信号の送／受信方向を指向しており、前記輻射／受信器アレイ１を保護するために前記反射板３の全面に亘ってカバー（図示せず）が位置される。
【００１７】
従来の中継器のアンテナアセンブリＡは、平坦（ｆｌａｔ）であると共に、金属のような導電物質により構成された直四角形の反射板３を有する。前記平面反射板３は、図６Ａに示したように、所定幅及び長さを有して形成され、前記反射板３の長さは、垂直方向に信号を送／受信するための適正配列で、又、前記反射板３の幅は、水平方向に信号を送／受信するための適正配列である。
【００１８】
従来の中継器のアンテナアセンブリＡにおいて、前記反射板３は、図６Ａに示したように、固定手段７により支持ポール５に付着されている。ここで、前記支持ポール５は、前記反射板３及び輻射／受信器アレイ１を支持し得るように鋼鉄又は他の金属により形成され、前記固定手段７は、前記支持ポール５に前記反射板３を安全に付着し得るように金属により形成されている。
【００１９】
又、従来の中継器のアンテナアセンブリＡは、電気信号を提供するために、ケーブル及びワイヤー（ｗｉｒｅ）により前記輻射／受信器アレイ１と電気的に接続された給電（ｆｅｅｄ）ネットワーク９を包含して構成される。前記給電ネットワーク９のケーブル及びワイヤーは、図６Ａに示したように、前記反射板３の後方側で前記輻射／受信器アレイ１と接続される。
【００２０】
従来の移動通信システムを構成するために、中継器システムは、受信アンテナ（ドナーアンテナ）機能を行う少なくとも一つの中継器部分と、送信アンテナ（カバレッジアンテナ）機能を行う少なくとも他の一つの中継器部分と、を有する。前記ドナーアンテナは、基地局に／から信号を送／受信し、前記カバレッジアンテナは、移動局に／から信号を送／受信する。
【００２１】
【発明が解決しようとする課題】
然るに、このような従来のアンテナアセンブリ（例えば、中継器のアンテナ）においては、所定要素がアンテナシステムを構成する他の要素の機能に悪影響を与えるという不都合な点があった。
【００２２】
例えば、ドナーアンテナの信号がカバレッジアンテナに、又は、その反対に誘導される時、ループ形成（ｌｏｏｐ  ｆｏｒｍａｔｉｏｎ）と呼ばれる現象が誘発される。即ち、或るアンテナ信号のフィードバック（又は、ポジティブフィードバック）は近くに位置する他のアンテナの性能を低下させる。
【００２３】
言い換えると、直四角形の平面反射板３を有する従来のアンテナアセンブリＡ（例えば、中継器のドナーアンテナ構造）の特性上、図６Ｂに示したように、ＲＦパターンは複数のサイドローブ領域（ｓｉｄｅ  ｌｏｂｅ  ｐｏｒｔｉｏｎ）及びバックローブ領域を有する“ループ”を形成させる。前記反射板３の端部は、側方及び後方にＲＦ信号波を散乱させるため、サイドローブ及びバックローブが大きく発生され、特に、従来のアンテナアセンブリの場合は、アンテナアセンブリのバックサイド側に、アンテナ性能に大きい問題となる比較的大きいバックローブＲＦパターンを発生させる。
【００２４】
図中、サイドローブはＦＴＳＲ（Ｆｒｏｎｔ−Ｔｏ−Ｓｉｄｅ−Ｒａｔｉｏ）と表示され、バックローブはＦＴＢＲ（Ｆｒｏｎｔ−Ｔｏ−Ｂａｃｋ−Ｒａｔｉｏ）と表示されている。
【００２５】
又、前記輻射／受信器アレイ１に接続された給電ネットワーク（給電機）９のパワーケーブルから放出された信号及び輻射は、不合理な信号のフィードバックを誘発すると共に、所望しないバックローブＲＦパターンの形成に寄与するようになる。
【００２６】
このような不合理な影響（信号のポジティブフィードバック）を防止するためには、ドナーアンテナとカバレッジアンテナとを電気的に又は空間的に充分に分離して位置させるべきである。例えば、所望しない信号影響を防止するために、ドナーアンテナをカバレッジアンテナから１０メートル（若しくは、２０又は３０メートル）以上離れた距離に位置させるか、又は、両アンテナ間に大きい障害物や防壁を設置する。
【００２７】
併し、移動通信システムにおいて、アンテナを遠く離隔させることは都心環境のような比較的狭い地域では適切でなく、特に、アンテナ間に障害物や防壁を設置することは設置費用が増加すると共に、設置が困難であるという不都合な点があった。
【００２８】
本発明は、このような従来の課題に鑑みてなされたもので、無線通信システムにおける信号影響（ループ形成現象及び信号のポジティブフィードバック）を効果的に最小化し得るアンテナアセンブリ構造を提供することを目的とする。
【００２９】
【課題を解決するための手段】
本発明の無線通信システムのアンテナアセンブリは、無線信号を伝送するための複数の輻射器と、該輻射器が装着され、無線信号を反射する第１プレートと、前記第１プレートの後方に該第１プレートとは所定の間隔をあけて装着され、前記無線信号をさらに反射するように形成された第２プレートとを具備し、前記第１プレートは、メインプレートと、該メインプレートの両側の垂直な端部から夫々前方外側に延長された一対の翼とを有し、前記各翼は、内部領域及び外部領域によってそれぞれ構成され、前記内部領域は、前記メインプレートと鈍角を成し、前記外部領域は、前記メインプレートと直角を成すことを特徴とする。
【００３０】
前記第２プレートの後方に、前記無線信号をさらに反射するように形成された第３プレートが該第２プレートとは所定の間隔をあけてさらに装着されており、前記第２プレートと前記第３プレートとの間隔が、前記第１プレートと前記第２プレートとの間隔に等しくなるように構成されていることを特徴としてもよい。
【００３１】
前記第２プレートおよび第３プレートは、それぞれ、メインプレートと、該メインプレートの両側の垂直な端部から夫々前方外側に延長された一対の翼とを有し、前記第２プレートの前記各翼は、該第２プレートの前記メインプレートとそれぞれ鈍角を成し、前記第３プレートの前記各翼は、該第３プレートの前記メインプレートとそれぞれ鈍角を成すことを特徴としてもよい。
【００３２】
前記第１プレートの鈍角と、前記第２プレートの鈍角と、前記第３プレートの鈍角とが、それぞれ等しくなっていることを特徴としてもよい。
【００３３】
前記第１プレートの前記各翼の内部領域と前記第２プレートの前記各翼とが等しい水平方向長さを有することを特徴としてもよい。
【００３４】
前記第３プレートの前記各翼の水平方向長さが前記第２プレートの前記各翼の水平方向長さよりもそれぞれ長くなっていることを特徴としてもよい。
【００３５】
前記第２プレートの垂直方向の長さが前記第３プレートの垂直方向の長さと異なっていることを特徴としてもよい。
【００３６】
前記第１プレートおよび前記第２プレートを支持する支持構造をさらに有し、該支持構造が非導電性物質により構成されていることを特徴としてもよい。
【００３７】
無線信号を伝送するために前記輻射器と接続された給電器をさらに有し、該給電器は、導電性物質により覆われていることを特徴としてもよい。
【００３８】
また、本発明の無線通信システムのアンテナアセンブリは、無線信号を伝送するための複数のアンテナと、該アンテナが装着され、両側の垂直な端部に、該両端部にて挟まれた中央部分とは夫々鈍角を形成して前方外側に延長する一対の翼を有し、背後に生じる高周波パターンを減衰させるように形成された第１プレートと、該第１プレートの後方に該第１プレートとは所定間隔をあけて装着されており、両側の垂直な端部に、該両端部にて挟まれた中央部分とは夫々鈍角を形成して前方外側に延長する一対の翼を有し、背後に生じる高周波パターンを減衰させるように形成された第２プレートと、該第２プレートの後方に該第２プレートとは所定間隔をあけて装着されており、両側の垂直な端部に、該両端部にて挟まれた中央部分とは夫々鈍角を形成して前方外側に延長する一対の翼を有し、背後に生じる高周波パターンを減衰させるように形成された第３プレートと、前記第１プレートと前記第２プレートと前記第３プレートを支持する支持構造と、無線信号の伝送が可能に前記アンテナと接続された給電器と、を具備することを特徴とする。
【００３９】
前記第１プレートと前記第２プレートとの間隔と、前記第２プレートと前記第３プレートとの間隔とが等しくなるように構成されていることを特徴としてもよい。
【００４０】
前記第１プレートの鈍角と、前記第２プレートの鈍角と、前記第３プレートの鈍角とが、それぞれ等しくなっていることを特徴としてもよい。
【００４１】
また、本発明の無線通信システムは、通信網に接続され、無線インターフェースを介して移動局とリンクされる基地局を有する無線通信システムであって、前記通信網と前記移動局との間の信号リンクを提供するアンテナアセンブリを有し、該アンテナアセンブリは、高周波のバックローブを減衰させるように形成された反射部材と、該反射部材の前方に装着された複数の輻射器と、前記反射部材の後方に該反射部材とは所定の間隔をあけて装着され前記高周波のバックローブをさらに減衰させるように形成された少なくとも一つのプレート状の減衰部材とを有するアンテナ構造と、該アンテナ構造と連結されて該アンテナ構造を支持する支持構造と、該アンテナ構造を経由して信号の送信及び受信が可能に前記輻射器と接続された給電器とを具備し、前記反射部材は、メインプレートと、該メインプレートの両側の垂直端部から夫々前方外側に延長された一対の翼とを有し、前記各翼は、内部領域及び外部領域によってそれぞれ構成され、前記内部領域は前記メインプレートと鈍角を成し、前記外部領域は前記メインプレートと直角を成すように構成されていることを特徴とする。
【００４２】
前記高周波のバックローブをさらに減衰させるために、前記支持構造は非導電性物質により構成されるとともに、前記給電器が導電性物質により覆われていることを特徴としてもよい。
【００４３】
前記減衰部材は、メインプレートと、該メインプレートの両側の垂直端部から夫々前方外側に延長された一対の翼とを有し、前記各翼は、前記メインプレートとそれぞれ鈍角を成すことを特徴としてもよい。
【００４４】
前記アンテナ構造には、前記第１減衰部材の後方に該第１減衰部材とは所定間隔をあけて装着されるプレート状の第２減衰部材がさらに設けられていることを特徴としてもよい。
【００４５】
前記反射部材と前記第１減衰部材との間隔は、前記第１減衰部材と前記第２減衰部材との間隔に等しくなっていることを特徴としてもよい。
【００４６】
前記第２減衰部材は、メインプレートと、該メインプレートの両側の垂直端部から夫々前方外側に延長された一対の翼とを有し、前記各翼は、それぞれ、前記メインプレートと鈍角を成すことを特徴としてもよい。
【００４７】
本発明の無線通信システムは、無線インターフェースを介して通信網から使用者に信号を伝送する無線通信システムであって、前記通信網と使用者との間で信号リンクを提供するアンテナアセンブリを有し、該アンテナアセンブリは、メインプレートと、該メインプレートの両側の垂直な端部から夫々前記メインプレートとそれぞれ鈍角を成して前方外側に延長された一対の翼とを有し、信号の回折および散乱を減衰させるように形成された反射部材と、該反射部材の前方に装着された複数の輻射器と、前記反射部材の後方に該反射部材と所定間隔あけて装着されて、前記信号の回折および散乱をさらに減衰させるように形成された少なくとも一つのプレート状の減衰部材とを有するアンテナ構造と、該アンテナ構造と連結されて該アンテナ構造を支持し、前記信号の回折および散乱をさらに低減させるために非導電性物質により構成される部分を有する支持構造と、前記アンテナ構造を介して信号の送受信が可能に前記輻射器と接続され、前記信号の回折および散乱をさらに減衰させるための導電性物質を有する給電器とを具備することを特徴とする。
【００４８】
このような目的を達成するため、本発明に係る無線通信システムのアンテナアセンブリにおいては、無線信号を伝送する複数の輻射器と、該輻射器を装着し、無線信号を反射する第１プレートと、所定間隔を有して前記第１プレートの後方に装着される第２プレートと、を包含して構成されることを特徴とする。
【００４９】
又、本発明に係る無線通信システムのアンテナアセンブリにおいては、無線信号を伝送する複数のアンテナと、該アンテナが装着され、無線信号を反射する第１プレートと、所定間隔に前記第１プレートの後方に装着される第２プレートと、それら第１プレート及び第２プレートを支持する支持構造と、無線信号の伝送が可能に前記各輻射器と接続された給電器と、を包含して構成されることを特徴とする。
【００５０】
又、本発明に係る無線通信システムのアンテナアセンブリにおいては、第２プレートは、メインプレートと、該メインプレートの両方端部から夫々延長された翼と、を包含して構成され、前記翼は、メインプレートと鈍角を成すことを特徴とする。
【００５１】
又、本発明に係る無線通信システムのアンテナアセンブリにおいては、無線インターフェースを介して網から使用者に信号を伝送する無線通信システムであって、網と使用者間で信号リンクを提供するアンテナアセンブリによって構成され、該アンテナアセンブリは、反射部材の前方に装着された複数の輻射器及び所定間隔に反射部材の後方に装着される少なくとも一つの減衰部材を有するアンテナ構造と、該アンテナ構造と連結されてアンテナ構造を支持する支持構造と、前記アンテナ構造を介して信号の送受信が可能に前記輻射器と接続された給電器と、を包含して構成されることを特徴とする。
【００５２】
【発明の実施の形態】
以下、本発明の実施の形態に対し、図面を用いて説明する。
【００５３】
本発明は、無線インターフェースを介して網で使用者に信号を伝送する無線通信システムを提供する。例えば、前記無線通信システムは、網は通信網で、使用者は移動局の移動通信システムが挙げられる。
【００５４】
本発明は、アンテナによって発生するＲＦパターンバックローブを除去してアンテナ間の信号影響を最小化する改良されたアンテナアセンブリ構造を提供する。この時、伝送された信号は、直接フィールド（ｄｉｒｅｃｔ  ｆｉｌｅｄ）、反射、回折及び散乱のような色々なタイプの信号特性を示すが、それら特性中、回折及び散乱はバックローブを形成する主要原因である。
【００５５】
従って、本発明は、信号の回折及び散乱を最小化してアンテナ間の信号影響である信号の（ポジティブ）フィードバックによって発生したループ形成現象を効果的に低減し得る方案を提供する。
【００５６】
本発明の実施形態は、無線通信システムで使用されるアンテナアセンブリの一例であるが、本発明は、基地局システムで使用されるアンテナのように、信号のフィードバックによってループ形成現象を示す他のタイプのアンテナにも具現化することができる。即ち、本発明は、信号のフィードバックによってループを形成する、信号回折及び散乱に関連した問題を発生させることがある如何なるアンテナシステムにも適用することができる。
【００５７】
本発明は、通信網、少なくとも一つの基地局、少なくとも一つの基地局制御機（ＢＳＣ）、複数の移動局のような多様な構成要素及び公知の他の構成要素を包含する移動通信システムのような無線通信システムで具現化することができる。例えば、各基地局は、有線連結によって通信網に接続され、無線インターフェースを介して移動局と接続される。前記基地局は、移動局が通信網とリンクされるようにして、基地局制御機によって制御される。中継器は、基地局と移動局間の信号を増幅及び／又は中継するために基地局及び移動局とリンクすることができる。
【００５８】
従って、本発明は、通信網に接続されて無線インターフェースを介して移動局とリンクされる基地局を有する無線通信システムを提供することができて、前記システムは、通信網と移動局間の信号リンクを提供するアンテナアセンブリによって構成される。特に、前記アンテナアセンブリは、アンテナ部、支持部及び給電器によって構成される。
【００５９】
図１Ａは、本発明に係るアンテナアセンブリＡＡの第１実施形態の構造である。
【００６０】
アンテナアセンブリＡＡは、他の極性の信号を伝送し得る複数の輻射器（又はアンテナ）要素（ｅｌｅｍｅｎｔ）又はモジュールを有する輻射器（又はアンテナ）アレイ２によって構成される。この時、前記輻射器の要素は、多様な形状及び構成を有する単一又は二重ダイポール（ｄｉｐｏｌｅ）、ヤギ（Ｙａｇｉ）アンテナ又は特定移動通信システムから送／受信される信号特性による他のタイプの輻射器によって構成することができる。
【００６１】
輻射器アレイ２は、信号の送／受信が向上されるように、反射器４（反射部材、ｐｌａｔｅ）の前面に装着され、前記輻射器アレイ２が装着された反射器４の前面部は所望の信号の送／受信方向を指向している。そして、前記輻射器アレイ２を保護するために前記反射器４の前面部にかけてカバー（図示されず）を配置させることができる。
【００６２】
図１Ａには、六つの輻射器モジュールを有する輻射器アレイ２が図示されている。
【００６３】
一列に位置された六つの輻射器素子は、前記反射器４の表面から延長され、垂直に配列されている。この時、輻射器モジュールの数、空間及び配列は、アンテナの所望する信号ビームの幅及び信号特性によって変更されることができる。例えば、広い信号ビームの幅を得るために、本発明は、一列に配置された六つの輻射器モジュールを装着する代わりに総六つずつ２列に、合計１２の輻射器モジュールを反射板４に装着することもできる。
【００６４】
本発明のアンテナアセンブリＡＡは、メインプレート４ａ及び翼４ｂを有する反射板４を有する。図１Ａに示したように、各翼４ｂは、メインプレート４ａのエッジから延長された内部領域及び該内部領域から更に延長された外部領域によって構成される。この時、翼４ｂの外部領域は、反射板４のメインプレート４ａ（反射板）とほぼ直角を成す。
【００６５】
又、前記反射板４は、金属のような導電性物質により作られ、図１Ａに示したように、長辺が水平面に対して垂直となるように配置される。従って、前記反射板４の長さは垂直方向に信号を送／受信する配列で、幅は水平方向に信号を送／受信するのに適切な配列である。付加的に、少なくとも一つの減衰構造要素（例えば、減衰部材、プレート、屈曲パネル（ｐａｎｎｅｌ）及び翼など）が反射板４の後方に装着されるが、図１Ａに図示された第１実施形態の場合、二つの減衰器が反射板４の後方に装着される。
【００６６】
図１Ａに示したように、前記反射板４は、固定手段１２により支持ポール１０に付着される。この時、前記支持ポール１０は、反射板４、減衰器６、８及び輻射器アレイ２を支持し得る充分な力を提供する一方、自然の力及びアンテナアセンブリに印加される他の物理的な条件に抵抗力を有する非導電性物質により作られる。又、前記固定手段１２は、反射板４及び減衰器６、８を支持ポール１０に確実に結束させるために非導電物質により作られる。
【００６７】
又、アンテナアセンブリＡＡ（中継器）は、反射板４及び減衰器６、８の後方を通って輻射器アレイ２と電気的に接続される給電ネットワーク（給電器）Ｆを包含し、該給電ネットワークＦは、パワーケーブル１４及びワイヤーＷ（図１Ａには図示されず）を包含する。前記給電ネットワークＦのパワーケーブル１４から放出された信号及び輻射は、パワーケーブル１４を覆う金属性網（ｍｅｓｈ）１６ａ（図１Ａには図示されず）により効果的に抑制され、前記支持ポール１０及び固定手段１２の非導電特性は、バックローブＲＦパターンの発生を一層抑制させる。
【００６８】
図１Ｂには、アンテナアセンブリ構造ＡＡによって発生したＲＦパターンが図示されている。
【００６９】
本発明は、前記反射板４の翼４ｂ、二つの減衰器６、８、金属性網１６ａ、非導電性支持ポール１０及び固定手段１２、又は、これらの組合によりアンテナアセンブリの側面又は後面から発生するＲＦ信号波の散乱を效果的に防止することができる。
【００７０】
従って、図６Ａに図示された従来の反射板３と比較して、最小のサイド及びバックローブのみが発生される。即ち、本発明に係るアンテナアセンブリによって不合理な影響である信号のフィードバックに起因したループ発生が効果的に抑制されるか又は、少なくとも最小化される。
【００７１】
以下、前記反射板４の構造、減衰器６、８、給電ネットワークＦ及び支持構造１０、１２に対し、図２乃至図４を用いて説明すると次のようである。
【００７２】
図２は、図１Ａに図示されたアンテナアセンブリ構造ＡＡの正面図である。  図２に示したように、第１減衰器６の垂直長辺は、反射板４の垂直長辺より長く、第２減衰器８の垂直長辺は、前記第１減衰器６の垂直長辺より長い。併し、前記減衰器６、８の垂直長辺は、アンテナアセンブリと無線（又は移動）通信環境の特性によって変化される。
【００７３】
図３は、図１Ａに図示されたアンテナアセンブリ構造ＡＡの側面図である。
【００７４】
図３に示したように、本発明に係るアンテナアセンブリ（中継器）は、パワーケーブル及びワイヤーＷを介して前記輻射器アレイ２と電気的に接続され、該輻射器アレイ２に電気信号を供給する給電ネットワーク（給電器）を包含する。前記給電ネットワークＦは、決められたパワー及び位相により輻射器アレイ２の各輻射器に電気信号を供給し、輻射器素子間の異なる位相関係を補償する。給電ネットワークＦのパワーケーブル１４及びワイヤーＷは、反射板４及び減衰板６、８の後方で前記輻射器アレイ２と接続される。この時、前記パワーケーブル１４は、該パワーケーブル１４から放出された信号及び輻射を効果的に抑制するために金属性網１６ａにより被覆される。
【００７５】
管１６ｂは、金属網１６ａにより覆われたパワーケーブル１４を保護するために提供され、給電ネットワーク（給電器）Ｆは、ワイヤーＷをパワーケーブル１４に接続させるパワーコネクター１５を包含する。
【００７６】
図４は、図３のＸ−Ｘラインを沿って切断されたアンテナアセンブリ構造の断面図である。
【００７７】
図１Ａで記述したように、前記反射板４は、メインプレート４ａ及び該メインプレート４ａの垂直エッジに沿って形成された翼４ｂを有し、各翼４ｂは、前記メインプレート４ａの端部から延長された内部領域及び該内部領域から更に延長された外部領域を有する。
【００７８】
又、前記外部領域は、前記メインプレート４ａと直角を成し、各翼４ａの内部領域は、メインプレート４ａと角（鈍角α４）を成す。この時、前記反射板４のための鈍角（α）の値は、アンテナに無線信号を送／受信する時に獲得される信号ビームの幅に従う。
【００７９】
二つの減衰板６、８も各減衰板プレート６ａ、８ａと鈍角（α６、α８）を成す翼６ｂ、８ｂを有する。好ましい場合、前記反射板４及び減衰板６、８のための各鈍角（α４、α６、α８）は全て同様である。
【００８０】
上記のように構成される本発明は、信号の散乱及び回折を遮断してアンテナ間の不合理な影響（信号のフィードバックに起因したループ発生現象）を最小化させる。この時、伝送された信号は、直接フィールド、反射、回折及び散乱のような色々なタイプの信号特性を示し、該特徴中、信号回折及び散乱は、好ましくないバックローブを形成する主要原因である。
【００８１】
従って、信号回折及び散乱を最小化することがアンテナ間の信号影響である信号の（ポジティブ）フィードバックによって発生されたループ形成現象を効果的に最小化することができる。
【００８２】
又、前記翼４ｂにおいて、内部領域及び外部領域は、夫々長さ（Ｌ４ｉ）、（Ｌ４ｏ）を有し、これらの長さは、アンテナが所望する信号散乱の遮断によって決定される。又、前記長さは、信号の散乱及び回折を十分に防止するように、少なくともλ／４にならなければならなく、前記λは、送／受信信号の波長である。
【００８３】
又、前記減衰板６、８は夫々翼を有し、図４に示したように、前記第１減衰板６の各翼は長さ（Ｌ６）を有し、前記第２減衰板８の各翼は長さ（Ｌ８）を有する。この時、長さ（Ｌ６）は長さ（Ｌ４ｉ）とほぼ同様で、長さ（Ｌ８）は長さ（Ｌ６）より長いのが好ましい。
【００８４】
従って、翼の長さ（Ｌ８）、（Ｌ６）を有する二つの減衰板６、８を夫々提供することで、本発明は、アンテナアセンブリＡＡにより発生したＲＦパターン（バックローブ）を最小化させることができる。
【００８５】
又、前記減衰板６、８は、所定間隔（ｇａｐ）を有するようにするために、前記反射板４の後方に位置する。この時、図４に示したように、前記反射板４と第１減衰板６間の距離はｄ１、前記第１、第２減衰板６、８間の距離はｄ２に表現する。
【００８６】
前記距離（ｄ１、ｄ２）は、アンテナに信号が送／受信される時に得られる所望の信号ビームの幅により決定され、信号散乱及び回折がどの位最小化ならなければならないかによって決定される。本発明は、距離（ｄ１、ｄ２）を同様にして信号散乱及び回折を遮断するが、これに限定されず、多様な距離（ｄ１、ｄ２）値を充分な信号散乱及び回折遮断のために提供することもできる。
【００８７】
詳述した角（α４、α６、α８）、長さ（Ｌ４、Ｌ６、Ｌ８）及びギャップ（ｇａｐ）距離（ｄ１、ｄ２）を参照する時、それらの特定値は、アンテナの離隔及びビームの幅の特性だけでなくアンテナにより送／受信された信号の特定波長にも依存する。従って、好ましいアンテナ構造の角、長さ及びギャップの距離は調整されて変化されることができるが、本発明で提示する方案は、充分な信号回折及び散乱防止の効果を得ることができる。
【００８８】
且つ、本発明に係るアンテナアセンブリ構造ＡＡ’の第２実施形態においては、図５に示したように、輻射器アレイ２’と、反射部材（反射器）４’と、二つの減衰部材（減衰器）６’、８’と、支持手段１０’と、固定手段１２’及び給電ネットワーク（給電器）Ｆと、を包含して構成される。図５に図示された全ての構成要素は、前記反射板４’及び減衰板６’、８’の構造を除くと、図１Ａに図示された構成要素等と同様である。
【００８９】
所定無線通信システムにおいて、信号伝送の要求及び条件は、図５の反射板４’及び減衰板６’、８’の構造により遂行することができる。第２実施形態において、アンテナアセンブリにより発生したＲＦパターンのサイド及びバックローブを最小化するための信号散乱及び回折の防止に導入された原理は、本発明の第１実施形態で説明した原理と同様である。
【００９０】
即ち、各反射部材４’及び減衰部材６’、８’は、垂直端部を沿って、第１実施形態の反射板４及び減衰板６、８の翼と同様な効果を示すリム（ｒｉｍ）を有する。本発明の第１実施形態のように、給電ネットワークＦのパワーケーブルを覆う金属性網、非導電性支持ポール１０’及び非導電性固定手段１２’、又は、これらの組合と共に前記反射器４’及び減衰器６’、８’上のリムは、信号の散乱及び回折を抑制する効果を有する。
【００９１】
本発明の少なくとも第１及び第２実施形態に基づいて、本発明に係るアンテナアセンブリは、無線通信システムに適用されるが、例えば、中継器システム又は移動通信システムで採用されたアンテナのドナー（ｄｏｎｎｏｒ）又はカバリッジ（ｃｏｖｅｒａｇｅ）アンテナとして採用される。本発明に係る無線通信システムにおいて、ドナー及びカバリッジアンテナからの信号は相互に最小の影響を及ぼす。従って、ドナー及びカバリッジアンテナは相互に遠く離隔させる必要が無い。
【００９２】
従って、ドナーアンテナは、信号干渉を防止するためにカバリッジアンテナから１０メートル以上離隔させて位置させる必要が無く、信号の影響を防止するためにドナー及びカバリッジアンテナ間に大きい障害物又は防壁を設置する必要も無い。
【００９３】
【発明の効果】
以上説明したように、本発明に係る無線通信システムのアンテナアセンブリにおいては、都心環境のような比較的狭い地域に（例えば、建物の屋上）設置することができるし、二つのアンテナ（中継器アンテナ）間に大きい障害物又は防壁を設置させる必要もないために、設置費用を最小化し、容易に設置し得るという効果がある。
【図面の簡単な説明】
【図１Ａ】本発明に係るアンテナアセンブリ構造の第１実施形態を示した斜視図である。
【図１Ｂ】図１Ａに示されたアンテナアセンブリ構造により発生するＲＦパターンを示した図である。
【図２】図１Ａの正面図である。
【図３】図１Ａの側面図である。
【図４】図１Ａの平面図である。
【図５】本発明に係るアンテナアセンブリ構造の第２実施形態を示した斜視図である。
【図６Ａ】従来アンテナアセンブリ（中継器）構造を示した斜視図である。
【図６Ｂ】図６Ａに示されたアンテナアセンブリ構造により発生するＲＦパターンを示した図である。
【符号の説明】
２  輻射器アレイ
２’  輻射器アレイ
４  反射板
４’  反射板
４ａ  メインプレート
４ｂ  翼
６  減衰板
８  減衰板
１０  支持ポール
１０’  支持ポール
１２  固定手段
１２’  固定手段
【図１Ａ】
0003680105.tif 000002
【図１Ｂ】
0003680105.tif 000003
【図２】
0003680105.tif 000004
【図３】
0003680105.tif 000005
【図４】
0003680105.tif 000006
【図５】
0003680105.tif 000007
【図６Ａ】
0003680105.tif 000008
【図６Ｂ】
0003680105.tif 000009